(57)【要約】【課題】留め具の制限を低減する。【解決手段】留め具は、バッグ本体２表面の右端上部に設けられた表側ロット雄ボタン５と、バッグ本体２裏面の左端上部に設けられた裏側ロット雄ボタン６とを有する。バッグ本体２下部は、内部に被留め具を備えた着せ替え袋で外方を覆うことが可能となっている。被留め具は、表側ロット雄ボタン５に取り付け可能な表側ロット雌ボタンと、裏側ロット雄ボタン６に取り付け可能な裏側ロット雌ボタンとを有し、着せ替え袋でバッグ本体の下部を覆った状態で各ロット雄ボタン５、６に各ロット雌ボタンを取り付けることにより、トートバッグ１に着せ替え袋を装着して外観のデザインを変更可能となっている。【選択図】図１
0003196906.tif 000002
【実用新案登録請求の範囲】
【請求項１】
鞄本体と留め具とを備えた鞄であって、
前記留め具は、前記鞄本体の開口部側に設けられ、前記鞄本体の底部側の外方を覆う外観変更用袋部材の内部に設けられた被留め具を着脱可能である
ことを特徴とする鞄。
【請求項２】
前記留め具は、ロットボタンの雄部材によって構成され、前記鞄本体の両側端部に支持されており、
前記被留め具は、前記ロットボタンの雌部材によって構成され、前記外観変更用袋部材の両側端部に支持されている
ことを特徴とする請求項１に記載の鞄。
【考案の詳細な説明】
【技術分野】
【０００１】
本考案は、鞄に関する。
【背景技術】
【０００２】
従来より、外観のデザインを変更可能な鞄、所謂着せ替えバッグが提案されている。
【０００３】
特許文献１では、袋状のバッグ本体の開口部端縁に支持された提げ手をシート状部材の通し穴に通してバッグ本体にシート状部材を装着することにより、バッグ本体の外観をシート状部材のデザインによって変更することが可能となっている。
また、非特許文献１では、バッグ上半分の提げ手部分とバッグ下半分の袋部分とをボタンで着脱可能とすることにより、バッグ全体の外観のデザインを提げ手部分と袋部分との組合せで変更することが可能となっている。
【先行技術文献】
【特許文献】
【０００４】
【特許文献１】特開２００６−４２８５８号公報
【非特許文献】
【０００５】
【非特許文献１】「着せ替えが出来るバッグ  QUAEL bags | クアエル」、［ｏｎｌｉｎｅ］、平成２６年、クアエルバッグ、［平成２６年１２月２６日検索］、インターネット＜ＵＲＬ：http://www.quael.jp＞
【考案の概要】
【考案が解決しようとする課題】
【０００６】
特許文献１に記載の技術では、シート状部材でバッグ本体の袋部分の外周全体を覆うことができず一部が露出してしまうため、袋部分全体の外観のデザインを変更できない問題がある。また、特許文献１に記載の技術では、シート状部材の装着時にはバッグの開口部が閉塞されてしまい、バッグの中を確認したり物を取り出したりするときにはシート状部材を脱着しなければならない問題がある。
これに対して、特許文献２に記載の技術では、袋部分を取り替えることで袋部分全体の外観のデザインを変更可能であり、提げ手部分から袋部分を脱着しなくても提げ手部分の開口部から袋部分の中を確認したり物を取り出したりすることが可能である。しかしながら、特許文献２に記載の技術では、袋部分に物を詰め込んだ状態で提げ手を持ち上げたときに袋部分が外れてしまわないようにボタンの吊り強度を確保するために十分な数のボタンを設けなければならず、ボタンの位置や数やデザインが制限される問題がある。
【０００７】
本考案は、上述のような事情に鑑みてなされたものであり、留め具の制限を低減することを目的とする。
【課題を解決するための手段】
【０００８】
上記目的を達成するため、本考案に係る鞄は、
鞄本体と留め具とを備えた鞄であって、
前記留め具は、前記鞄本体の開口部側に設けられ、前記鞄本体の底部側の外方を覆う外観変更用袋部材の内部に設けられた被留め具を着脱可能である
ことを特徴とする。
【０００９】
なお、本考案に係る鞄において、
前記留め具は、ロットボタンの雄部材によって構成され、前記鞄本体の両側端部に支持されており、
前記被留め具は、前記ロットボタンの雌部材によって構成され、前記外観変更用袋部材の両側端部に支持されていてもよい。
【考案の効果】
【００１０】
本考案によれば、留め具の制限を低減することができる。
【図面の簡単な説明】
【００１１】
【図１】（Ａ）本実施形態に係るトートバッグの正面図、（Ｂ）トートバッグを矢印ＩＢ方向から見た側面図である。
【図２】（Ａ）着せ替え袋を装着したトートバッグの正面図、（Ｂ）着せ替え袋を装着したトートバッグのＩＩＢ−ＩＩＢ線拡大断面図、（Ｃ）着せ替え袋を装着したトートバッグのＩＩＣ−ＩＩＣ線拡大断面図である。
【考案を実施するための形態】
【００１２】
以下に、本考案を実施するための形態について図面を参照して詳細に説明する。なお、図中同一または相当する部分には同じ符号を付す。なお、本考案の構成に対する理解を容易にするため、図面の前方を「前」又は「表」、後方を「後」又は「裏」、上方を「上」、下方を「下」、左方を「左」、右方を「右」とそれぞれ記載して説明する。
【００１３】
図１（Ａ）は本実施形態に係るトートバッグの正面図、図１（Ｂ）はトートバッグを矢印ＩＢ方向から見た側面図である。
本考案の実施形態に係る鞄の一例としてのトートバッグ１は、図１（Ａ）及び図１（Ｂ）に示すように、バッグ本体（袋本体）２と把持部３と留め具４とを備える。
【００１４】
バッグ本体２は、表面及び裏面の左右両端部及び下端部が連結された袋状に形成されている。把持部３は、バッグ本体１の表面及び裏面において、開口部（上端部）の左右方向中央部にそれぞれ設けられている。把持部３は、紐状部材の左右両端部がバッグ本体２の開口部の左右方向中央部に固定されたリング状に形成されている。留め具４は、バッグ本体２の表面の右端上部に設けられた表側ロット雄ボタン５と、バッグ本体２の裏面の左端上部に設けられた裏側ロット雄ボタン６とを有する。すなわち、留め具４は、バッグ本体２の左右両端の上部において表裏対称に設けられた各ロット雄ボタン（ロットボタンの雄部材）５、６によって構成されている。
【００１５】
図２（Ａ）は着せ替え袋を装着したトートバッグの正面図、図２（Ｂ）は着せ替え袋を装着したトートバッグのＩＩＢ−ＩＩＢ線拡大断面図、図２（Ｃ）は着せ替え袋を装着したトートバッグのＩＩＣ−ＩＩＣ線拡大断面図である。
本実施形態では、図２（Ａ）〜図２（Ｃ）に示すように、バッグ本体２の下部（底部側）は、着せ替え袋（外観変更用袋部材）７で外方を覆うことが可能となっている。着せ替え袋７は、延長部（被留め具支持部）８と被留め具９とを備える。
【００１６】
延長部８は、着せ替え袋７の内部において、右端上部から左方に延びる右側延長部（右側被留め具支持部）１０と、左端上部から右方に延びる左側延長部（左側被留め具支持部）１１とによって構成されている。被留め具９は、右側延長部１０に支持されて表側ロット雄ボタン５に取り付け可能な表側ロット雌ボタン１２と、左側延長部１１に支持されて裏側ロット雄ボタン６に取り付け可能な裏側ロット雌ボタン１３とを有する。すなわち、被留め具９は、着せ替え袋７の左右両端の上部において表裏対称に設けられた各ロット雌ボタン（ロットボタンの雌部材）１２、１３によって構成されている。
【００１７】
したがって、本実施形態では、着せ替え袋７でバッグ本体２の下部を覆った状態で各ロット雄ボタン５、６に各ロット雌ボタン１２、１３を取り付ける（嵌め込む）ことにより、トートバッグ１に着せ替え袋７を装着することが可能となっており、バッグ本体２の下部の外観のデザインを着せ替え袋７で変更可能（着せ替え可能）となっている。
【００１８】
以上説明したように、本実施形態に係るトートバッグ１によれば、留め具４がバッグ本体２の開口部側に設けられ、バッグ本体２の下部の外方を覆う着せ替え袋７内部に設けられた被留め具９に着脱可能となっている。
このようにすることで、バッグ本体の下部の外方を覆う着せ替え袋で外観のデザインを変更しない鞄よりも留め具の吊り強度を低減でき、留め具４の位置や数やデザインが制限されることを低減でき、留め具４の制限を低減することができる。
【００１９】
なお、本実施形態では、バッグ本体１の表面と着せ替え袋７の表面との間の表側空間と、バッグ本体１の裏面と着せ替え袋７の裏面との間の裏側空間とを軽い物（例えば、ハンカチ、ポケットティッシュペーパー等）を入れるポケットとして利用することができる。
この結果、バッグ本体の下部の外方を覆う着せ替え袋で外観のデザインを変更しない鞄よりも利便性が向上する。
【００２０】
また、本実施形態に係るトートバッグ１によれば、各ロット雄ボタン５、６がバッグ本体２の左右両側端上部に支持されており、ロット雌ボタン１２、１３が着せ替え袋７の左右両側端上部に支持されている。
このようにすることで、留め具４及び被留め具９が左右両端に設けられていない鞄よりも各ポケットの空間が狭くなることを低減できる。
【００２１】
特に、本実施形態に係るトートバッグ１によれば、ロット雌ボタン１２、１３が着せ替え袋７の左右両端に支持された各延長部１０、１１に支持されている。
このようにすることで、被留め具が着せ替え袋の左右両端に支持された延長部に支持されていない鞄よりも各ポケットの空間が狭くなることを低減できる。
【００２２】
なお、上記実施形態では、鞄の一例としてトートバッグ１を例示したが、これに限定されず、ハンドバッグ、ボストンバッグ、クラッチバッグ（セカンドバッグ）等の任意の鞄としてもよい。なお、クラッチバッグとした場合には把持部３を省略できる。
なお、上記実施形態では、バッグ本体２を表面及び裏面の左右両端部及び下端部が連結された袋状に形成したが、左右両側面にマチ部分を設けてもよい。
【００２３】
なお、上記実施形態では、バッグ本体２は単一の材料（生地）で構成されているが、複数の材料で構成してもよい。例えば、着せ替え袋７で覆われないバッグ本体２の上部や把持部３を高額の皮革で構成し、着せ替え袋７で覆われるバッグ本体２の下部を皮革よりも低額な所謂キャンパス地等の布で構成してもよい。この場合、着せ替え袋７の材料を布よりも高額な帯地等にすることで比較的低額な布部分を隠しつつ外観全体の材料を高額な材料にすることができ、製造コストを低減しつつ製品の高級感を高めることができる。
【００２４】
なお、上記実施形態では、留め具４を各ロット雄ボタン５、６によって構成したが、留め具４についてはこれに限定されず、十分な吊り強度を確保可能な限りにおいて、例えば、貝ボタンやスナップボタン等の任意の釦としてもよい。この場合であっても、各ポケットの空間を確保するために、釦は表裏各１個として左右両端部に設けることが好ましい。
なお、上記実施形態では、着せ替え袋７を装着せずに使用するときのデザインを考慮して、各ロット雄ボタン５、６をバッグ本体２の左右両端の上部において表裏対称に設けているが、各ロット雄ボタン５、６の位置や数やデザイン（例えば、色等）については任意に変更可能である。
【００２５】
その他、上記実施形態に係るトートバッグ１の構成は一例であり、本考案が解決しようとする課題を解決可能な限りにおいて任意に変更および修正が可能である。
【符号の説明】
【００２６】
１  トートバッグ、２  バッグ本体、４  留め具、５  表側ロット雄ボタン、６  裏側ロット雄ボタン、７  着せ替え袋、９  被留め具、１２  表側ロット雌ボタン、１３  裏側ロット雌ボタン。
【図１】
0003196906.tif 000003
【図２】
0003196906.tif 000004